(57)【要約】  自転車フレームに固定するように設計された多機能サドル構造物。該構造物は、先細の前部(3)と幅広の後部(2)とを有する。自転車付属品(A)の後部(2)への連結のために迅速連結手段(4)が備えられている。この構造物はさらに、人間工学的に成形された周辺へり(5)を有し、該へりは少なくとも部分的に面取りされて丸められ、鋭利な端を有さず、使用者が自転車の持ち上げと取り扱いができるような快適かつ安全なつかみ部を定める。前記迅速連結手段(4)は前記成形されたへり(5)に沿って配置される。【選択図】図1
2009508756.tif 000002
【特許請求の範囲】
【請求項１】
自転車フレームに固定するように設計された多機能サドル構造物であって、
先細の前部(3)と幅広の後部(2)、自転車付属品(A)の連結のための前記後部(2)への迅速連結手段(4)を有するサドルにおいて、
前記後部(2)が人間工学的に成形された周辺へり(5)を備え、該へりが少なくとも部分的に面取りされて丸められ、鋭利な端を有さず、使用者が自転車の持ち上げと取り扱いができるような快適かつ安全なつかみ部を定め、前記迅速連結手段(4)が前記成形されたへり(5)に沿って配置される、
ことを特徴とする多機能サドル構造物。
【請求項２】
当該成形されたへり(5)が少なくとも部分的に内側下方に傾斜していることを特徴とする請求項1に記載の構造物。
【請求項３】
当該成形されたへり(5)が当該サドルと一体であることを特徴とする請求項1に記載の構造物。
【請求項４】
当該成形されたへり(5)が、ねじおよび/またはスナップばめ手段(9)によってサドルに取りつけられる、硬質または半硬質材料製の成形品(8)によって定められることを特徴とする請求項1に記載の構造物。
【請求項５】
当該成形品(8)が内部連結部(11)および外部つかみ部(12)を有することを特徴とする請求項4に記載の構造物。
【請求項６】
当該連結部(11)が長さ方向の凹部(13)を有し、該凹部が、当該幅広の後部(2)の対応する突出部(14)と少なくとも部分的に連結するように設計されていることを特徴とする請求項5に記載の構造物。
【請求項７】
当該つかみ部(12)が、使用者の予期しない怪我を防ぐために、丸められ、かつ/またはテーパのつけられた連結へり(15、15´、15")を有することを特徴とする
請求項6に記載の構造物。
【請求項８】
当該迅速連結手段(4)が当該成形されたへり(5)の中央部(M)の近くに配置されることを特徴とする請求項1に記載の構造物。
【請求項９】
当該迅速連結手段(4)が、当該成形されたへり(5)上に少なくとも一つのオスの要素(6)またはメスの要素(7)を有し、該要素が、一つ以上の付属品(A)に付随する、対応するメスの要素(7)またはオスの要素(6)に連結するようになっていることを特徴とする請求項1に記載の構造物。
【請求項１０】
少なくとも一つの当該オスの要素(6)およびメスの要素(7)が当該成形されたへり(5)と一体に成形されることを特徴とする請求項9に記載の構造物。
【請求項１１】
当該メスの要素(7)が当該成形されたへり(5)と一体に成形されることを特徴とする請求項9に記載の構造物。
【請求項１２】
当該メスの要素(7)が当該成形されたへり(5)の凹部(16)に溝を有することを特徴とする請求項11に記載の構造物。
【請求項１３】
当該オスの要素(6)が、細長い延長部(17)を有し、該延長部が当該溝(7)に滑り込んで係合してスナップばめされることを特徴とする請求項12に記載の構造物。
【請求項１４】
当該凹部(16)が案内面(18、18´)を有し、当該細長い延長部(17)の当該溝(7)内への滑り運動を助けるようになっていることを特徴とする請求項13に記載の構造物。
【請求項１５】
当該溝(7)が当該オスの要素(6)のための戻り止め手段(19、19´)を有することを特徴とする請求項13に記載の構造物。
【請求項１６】
当該戻り止め手段(19、19´)が一対の特別に成形された受け口(20、20´)を有し、該受け口が一対の対応する案内部(21、21´)によって当該オスの要素(6)に係合するように設計されていることを特徴とする請求項15に記載の構造物。
【発明の詳細な説明】
【技術分野】
【０００１】
本発明は、一般的に、スポーツおよびレジャー付属品の分野での用途を見出すものであり、特に多機能サドル構造物に関する。
【背景技術】
【０００２】
二輪車特に自転車およびモーターバイクの公知の欠点の一つは、この種の輸送手段には、限られた荷物輸送能力しかない、ということである。特に自転車においては、機械的な故障の場合に使用される非常用装置および付属品たとえばねじ回しまたはレンチ、タイヤ、その他の搬送の必要からも問題が生じうる。
【０００３】
本件と同一の出願人による国際出願PCT/IB2005/000753号明細書には、自転車サドルのための迅速連結構造物が開示されており、この構造物は、工具および/または装置キットを取りつけるためのオスの要素を有し、このオスの要素は対応するメスの受け口にスナップばめされる。このメスの受け口は、サドルと一体に(integrally and monolithically)成形される。
【０００４】
この解決策は、いくつかの観点からもっとも効率的なものであるが、快適かつ安全なつかみに関して改良の余地がある。前記先行技術の構造物は、搬送すべき付属品のサドルに対する迅速かつしっかりした連結/取り外しを確実に行う一方で、当該サドルが取りつけられている自転車の簡単な持ち上げと取り扱いのためにサドルの快適かつ安全なつかみを可能にするという問題を解決することができない。
【発明の開示】
【発明が解決しようとする課題】
【０００５】
本発明の目的は、高効率で、割合に経済的であって、割合に簡単な構造を有するサドル構造物を提供することによって、前記欠点を克服することである。
【０００６】
本発明の一つの特定目的は、搬送付属品の、サドルに対する迅速かつしっかりした連結/取り外しを確実にする一方、当該サドルが取りつけられる自転車のより簡単な持ち上げと取り扱いのために、サドルの快適かつ安全なつかみを可能にするようなサドル構造物を提供することである。
【０００７】
本発明のもう一つの目的は、サドル滑り部品たとえばシートポストまたはレールの調節を制限しない構造物を提供することである。
【０００８】
もう一つの目的は、最小限のスペースしか必要としない構造物を提供することである。
【課題を解決するための手段】
【０００９】
これらの目的およびその他の目的は、以下でさらに十分に説明するように、請求項1で定義する多機能サドル構造物によって達成される。この構造物は、先細の前部と幅広の後部とを有し、自転車付属品の連結のために、前記後部に迅速連結手段が備えられている。
【００１０】
本発明においては、構造物は、その後部に、人間工学的に成形された周辺へりを有し、このへりは少なくとも部分的に面取りされて丸められ、鋭利な端を有しない。さらに、迅速連結手段は前記成形されたへりに沿って配置される。
【００１１】
この特定構成により、本発明の構造物は、使用者が自転車を持ち上げ、また取り扱うのに快適かつ安全なつかみ部を定めることができる一方、搬送される付属品のサドルに対する迅速かつしっかりした連結/取り外しを確実に行うことができる。
【００１２】
好ましくは、前記成形されたへりは、少なくとも部分的に内側下方に傾斜させて、使用者の手のひらと実質的に相補的なつかみ部を定めるようにすることもできる。
【００１３】
迅速連結手段は、適当に、前記成形されたへりの中央部に配置して、自転車に対する付属品の連結/取り外しがきわめて容易かつ簡単になるようにすることができる。
【００１４】
好ましくは、迅速連結手段は、前記成形されたへりに少なくとも一つのオスまたはメスの要素を有するようにすることができ、この要素は、必ずというわけではないが、好ましくは、前記成形されたへりと一体に(integral and monolithic)なっており、一つ以上の付属品の対応するメスまたはオスの要素と結合する。
【００１５】
第一の実施形態においては、前記成形されたへりはサドルと一体にすることができる。あるいは、このへりは、硬質または半硬質材料製の成形品(profile)によって定められるようにして、ねじおよび/またはスナップばめ手段によって、サドルに取りつけられるようにすることができる。
【発明を実施するための最良の形態】
【００１６】
本発明のさらなる特徴と利点は、添付の図面に即して、本発明のサドル構造物の好ましい非排他的実施形態に関してなされる詳細な説明によってさらにはっきりするであろう。この実施形態は単なる例であり、本発明を限定するものではない。
【００１７】
添付の図面において、全体を参照番号1で示す本発明のサドル構造物は、自転車フレームに普通のやり方で固定できるタイプのものである。自転車フレームは公知であるので、図示しない。
【００１８】
この構造物は、図1に示すように、一般に、着座使用者を受けるようになっている幅広の後部2と先細の前部3とを有する。迅速連結手段が、任意の付属品Aの連結のためにサドル2の後部に備えられている。この付属品は、示されているように、信号灯、反射器、または工具キットとすることができる。
【００１９】
本発明の独自の特徴は、サドルが後部2に人間工学的に成形された周辺へり5を有するということであり、このへりは、少なくとも部分的に面取りされて丸められていて、鋭利な端を有さず、使用者が自転車を持ち上げ、取り扱うことができるような、快適かつ安全なつかみ部を定めている。さらに、全体を参照番号4で示す迅速連結手段がへり5に沿って配置されており、付属品Aのサドルに対する迅速取りつけ/取り外しが容易になるようになっている。人間工学的なしっかりしたつかみは、少なくとも部分的に内側下方に傾斜したへり5を形成することによって、さらに確実にされる。
【００２０】
図1に示すように、手段4は、へり5の中央部Mの近くに、付属品Aに連結するオスの要素6とへり5と一体のメスの要素7とを有する。また、本発明の範囲を逸脱することなく、要素6と7は、それぞれへり5と付属品A上に配置することもでき、へり5上の要素は、該へりと一体ではなくすることもできる、と理解すべきである。
【００２１】
特に図2に示すように、へり5は硬質または半硬質材料、必ずではないが、好ましくはポリマータイプの物で作られた成形品8によって定められ、特殊な細穴10内に収容されるねじ9によってサドルに取りつけられる。あるいは、本発明の範囲を逸脱することなく、へり5はサドルと一体とすることができ、ねじ取りつけ手段9はスナップばめ手段によって置き換えるか、またはスナップばめ手段に連結することができる。
【００２２】
図3に明確に示すように、馬蹄形の成形品8は、内部連結部11と外部12とを有し、後者は使用者の手に接触するようになっている。
【００２３】
好ましくは、前記内部は、サドルの後部2で対応する突出部14に連結するようになっている長さ方向の凹部13を有する。他方、外部12は、使用者の不慮の負傷を防ぐために、丸められ、かつ/またはテーパのつけられた連結へり15、15´、15"を
有する。
【００２４】
迅速連結手段4は、前記国際特許出願PCT/IB2005/000753明細書に教示されているようにして作ることができる。
【００２５】
好ましい非排他的実施形態においては、メスの要素7は成形品8の凹部16の溝によって定められ、一方、オスの要素6は細長い延長部17を有し、該延長部は前記溝に滑り係合し、スナップばめされる。
【００２６】
延長部17の溝7内への滑り運動を助けるために、凹部16は適当に成形された案内面18、18´を有する。
【００２７】
図4に明瞭に示すように、オスの要素6の細長い延長部とメスの要素7との間に隙間ができないように、後者は、参照番号19、19´で全体を示す戻り止め手段を有する。該手段は、好ましくは、特殊な成形がなされた一対の受け口20、20´を有し、これらの受け口は、対応する案内部21、21´によってオスの要素6に係合する。
【００２８】
以上の開示内容が明瞭に示すように、本発明の構造物は、意図する目的を達成し、特に、サドルに対する搬送付属品の迅速かつしっかりした連結/取り外しを確実にする一方で、サドルの快適かつ安全なつかみを可能にするサドル構造物を提供するという目的を達成するものである。
【００２９】
使用者のための快適かつ安全なつかみ部を定めるような形状のへり5が備えられていることにより、また、該へりへの迅速連結手段4が備えられていることにより、快適で楽な使用のできる多機能サドル構造物が得られる。
【００３０】
本発明の構造物には、特許請求の範囲に示す発明的概念の範囲内で、いくつかの変更および変形を加えることができる。本発明の範囲を逸脱することなく、この構造物のすべての部品は他の技術的に等価な部品で置き換えることができ、材料は必要に応じて変えることができる。
【００３１】
以上、本発明の構造物を添付の図面に即して説明したが、説明と請求項に示した参照番号は、本発明をわかりやすくするためだけに使用したものであり、どのような意味でも特許請求の範囲を限定することを意図するものではない。
【図面の簡単な説明】
【００３２】
【図１】本発明のサドル構造物の斜視図である。
【図２】本発明の構造物の特定実施形態の一部分解図である。
【図３】図2の細部の斜視図である。
【図４】図1の構造物の平面IV−IVに沿う断面図である。
【符号の説明】
【００３３】
1  サドル構造物
2  後部
3  前部
4  迅速連結手段
5  周辺へり
6  オスの要素
7  メスの要素、溝
8  成形品
9  ねじ
10  細穴
11  内部連結部
12  外部
13  凹部
14  突出部
15  連結へり
15´  連結へり
15"   連結へり
16  凹部
17  延長部
18  案内面
18´  案内面
19  戻り止め手段
19´  戻り止め手段
20  受け口
20´  受け口
21  案内部
21´  案内部
A  付属品
M  中央部
【図１】
2009508756.tif 000003
【図２】
2009508756.tif 000004
【図３】
2009508756.tif 000005
【図４】
2009508756.tif 000006
【国際調査報告】
2009508756.tif 000007
2009508756.tif 000008
2009508756.tif 000009